(57)【要約】【課題】フィルタの目詰りを的確に検知し、フィルタに付着している塵埃を自動で除去して常に高い集塵能力を確保することができる集塵機を提供すること。【解決手段】吸気装置と、塵埃を収納するタンクと、フィルタ装置と、フィルタに付着した粉塵を落とす除塵装置と、運転制御手段と、運転検出手段と、信号変換手段と、入出力の状態や予め記憶している値を比較・演算する手段を備えた制御回路と、を備えて成る集塵機において、前記吸気装置が運転状態にあっても変更可能な目詰詰り閾値圧力を設定する目詰り圧力設定手段を設け、前記運転検出手段が前記吸気装置の停止を検出したとき、吸気装置が停止する直前の前記信号変換手段からの信号と前記目詰り圧力設定手段からの信号とで前記フィルタの目詰り状態を検知し、フィルタが目詰り状態のとき、前記運転制御手段によって前記除塵装置を運転して前記フィルタ装置の除塵を行う。【選択図】図２
2007245019.tif 000002
【特許請求の範囲】
【請求項１】
塵埃を吸引する吸気装置と、
吸込口を備え、前記吸気装置によって吸引された塵埃を収納するタンクと、
前記吸気装置を設置したメインモータベースと前記タンクの間に設けられて塵埃と空気とを分離するフィルタ装置と、
該フィルタ装置の内部に設けられ、フィルタに付着した粉塵を落とす除塵装置と、
該除塵装置の運転を制御する運転制御手段と、
前記吸気装置の運転状態を検出する運転検出手段と、
前記フィルタ装置内部の圧力状態を電気信号に変換する信号変換手段と、
入出力の状態や予め記憶している値を比較・演算する手段を備えた制御回路と、
を備えて成る集塵機において、
前記吸気装置が運転状態にあっても変更可能な目詰詰り閾値圧力を設定する目詰り圧力設定手段を設け、前記運転検出手段が前記吸気装置の停止を検出したとき、吸気装置が停止する直前の前記信号変換手段からの信号と前記目詰り圧力設定手段からの信号とで前記フィルタの目詰り状態を検知し、フィルタが目詰り状態のとき、前記運転制御手段によって前記除塵装置を運転して前記フィルタ装置の除塵を行うことを特徴とする集塵機。
【請求項２】
前記運転制御手段は、前記除塵装置を所定時間運転した後に停止させることを特徴とする請求項１記載の集塵機。
【発明の詳細な説明】
【技術分野】
【０００１】
本発明は、丸鋸やジグソー等の木材切断用電動工具や、ハンマードリルや石材カッター等のコンクリートや石材への穴あけや切断、研磨等に用いられる電動工具の切削粉塵や被研削粉塵を、工具に併設した集塵機構に接続されたホースから集塵したり、作業場の切削粉塵や被研削粉を掃除するための集塵機に関するものである。
【背景技術】
【０００２】
従来の集塵機を図４及び図５を用いて説明する。
【０００３】
図４に示す集塵機１は、丸鋸やジグソー等の木材切断用電動工具、ハンマードリルや石材カッター等のコンクリートや石材への穴あけや切断、研磨等に用いられる電動工具が使用される作業場の床等を掃除するためのものである。
【０００４】
この集塵機１の吸込口３にはホース４２が接続され、該ホース４２の先にはホース接続ハンドル４３が取り付けられており、通常、操作者は、ホース接続ハンドル４３を持って清掃作業を行う。このホース接続ハンドル４３の先には２本の延長管４４が接続されており、その先には床用吸口４５が接続されている。
【０００５】
而して、床にある塵埃は、周囲の空気と共に床用吸口４５から吸い込まれ、２本の延長管４４とホース接続ハンドル４３及びホース４２を経由して吸込口３から集塵機１に吸い込まれる。このような構造の集塵機１を使用するには、不図示の操作スイッチを操作して当該集塵機１を運転し、ホース接続ハンドル４３を持って、作業場の床等にある塵埃を吸い込んで集塵する。この場合、操作者は、集塵機１の近くにいて操作する場合が多く、ホース４２としては直径φ３８ｍｍ程度で長さ２．５ｍ程度の太くて短いものを使う場合が多い。
【０００６】
他方、図５に示す集塵機１は、丸鋸やジグソー等の木材切断用電動工具や、ハンマードリルや石材カッター等のコンクリートや石材への穴あけや切断、研磨等に用いられる電動工具からの切削粉塵を直接吸い取って集塵するものである。
【０００７】
この集塵機１の吸込口３にはホース４２が接続され、該ホース４２の先は電動工具用専用吸口４６を介して電動工具４７の集塵機構に接続されており、電動工具４７からの切削粉塵は、電動工具用専用吸口４６からホース４２を経由して吸込口３から集塵機１に吸い込まれる。
【０００８】
このような構造の集塵機１を使用するときには、操作者は、同時に電動工具４７を操作して加工している場合が多く、集塵機１から離れていることが多い。このため、ホース４２としては直径φ２５ｍｍ程度で長さ３ｍ以上の細くて長いものを使うことが多い。これは、ホース４２が太くて短いと電動工具４７の操作に支障を来すことがあるためである。
【０００９】
又、斯かる集塵機１では、当該集塵機１の操作パネル等にコンセントを設け、該コンセントから電源供給を受けて電動工具４７を運転すると、集塵機１が自動的に運転状態になり、電動工具４７の運転を停止させると、数秒間だけ集塵機１を運転した後に該集塵機１を自動停止させる連動運転モードとなる機能を備えている場合もある。そして、連動運転モードを備えた集塵機１は、操作スイッチによって集塵機１を運転状態と停止状態に切り替えて図４に示した集塵機１と同じ作業を行う機能も備えている場合が多い。このとき、操作スイッチによって集塵機１を運転状態と停止状態に切り替えて運転する運転モードを単動運転モードと呼び、前記連動運転モードと区別している。
【００１０】
図４及び図５に示す集塵機１が主に集塵する木材、石材、コンクリート、石膏ボード等の切削粉塵には微細なものも多く、塵埃を含んだ空気を塵埃と清浄な空気とに分離するフィルタは目詰りを起こし易い。このため、従来、フィルタに付着した塵埃を落とす除塵機構を備えた集塵機が提案されて実用に供されており、このような集塵機は、木材、石材、コンクリート、石膏ボード等の切削作業の場で用いられている。
【００１１】
斯かる集塵機には、外装部に除塵機構を操作する操作アームを有し、フィルタに目詰りが発生すると作業者が操作アームを操作して除塵する手動式のものがある（例えば、特許文献１参照）。又、フィルタ内部の圧力を電気信号に変換し、この電気信号と予め設定した閾値信号とを比較し、変換された電気信号よりも予め設定した閾値信号が大きい間だけ除塵装置を自動で運転する自動式の集塵装置がある（例えば、特許文献２参照）。
【特許文献１】特開平９−０００８４３号公報
【特許文献２】特開昭６０−２１２１４０号公報
【発明の開示】
【発明が解決しようとする課題】
【００１２】
人手で除塵する従来の手動式集塵機では、フィルタに目詰りが生じた都度、作業者が操作アームを操作して除塵する必要があるため、その作業が煩わしいという欠点があった。又、作業者がフィルタの目詰りを認識する手段が設けられていないことが多く、経験に頼ったり、吸込力が弱くなってからフィルタの目詰りに気づいたりと、フィルタの目詰り状態が悪化してから除塵作業を行う場合もあり、集塵能力を十分発揮しない状態で集塵機を使う場合もあった。
【００１３】
更に、フィルタ内部の圧力を電気信号に変換し、この電気信号と予め設定した閾値信号とを比較し、変換された電気信号よりも予め設定した閾値信号が大きい間だけ除塵装置を自動で運転する集塵装置においては、集塵機や他の電動工具等の複数の機器を同一配線路の電源によって同時運転する場合が多い環境では、集塵機の吸気装置運転に伴う電圧降下や、一緒に使用する電動工具の運転による電圧降下等によって集塵機の吸気装置の能力が劣化し、フィルタが目詰り状態になってもフィルタ内部の圧力が低下しないため、フィルタの目詰りが検知できず、フィルタに目詰り状態が生じたまま集塵機を使用してしまう場合もあった。
【００１４】
又、フィルタ内部の圧力を検出してフィルタの目詰りを検知する方式では、作業場の床等を掃除するための集塵機と、電動工具の切削粉塵を直接吸い取って集塵する集塵機では、その取り付ける吸口の風路抵抗の違いのために、目詰りのときのフィルタの内部圧力に大きな差が生じる。
【００１５】
本発明は上記問題に鑑みてなされたもので、その目的とする処は、フィルタで分離し切れない細かい粉塵がフィルタ内部に侵入したり、電源事情が劣化するような状況下においても、フィルタの目詰りを的確に検知し、フィルタに付着している塵埃を自動で除去して常に高い集塵能力を確保することができる集塵機を提供することにある。
【課題を解決するための手段】
【００１６】
上記目的を達成するため、請求項１記載の発明は、塵埃を吸引する吸気装置と、
吸込口を備え、前記吸気装置によって吸引された塵埃を収納するタンクと、
前記吸気装置を設置したメインモータベースと前記タンクの間に設けられて塵埃と空気とを分離するフィルタ装置と、
該フィルタ装置の内部に設けられ、フィルタに付着した粉塵を落とす除塵装置と、
該除塵装置の運転を制御する運転制御手段と、
前記吸気装置の運転状態を検出する運転検出手段と、
前記フィルタ装置内部の圧力状態を電気信号に変換する信号変換手段と、
入出力の状態や予め記憶している値を比較・演算する手段を備えた制御回路と、
を備えて成る集塵機において、
前記吸気装置が運転状態にあっても変更可能な目詰詰り閾値圧力を設定する目詰り圧力設定手段を設け、前記運転検出手段が前記吸気装置の停止を検出したとき、吸気装置が停止する直前の前記信号変換手段からの信号と前記目詰り圧力設定手段からの信号とで前記フィルタの目詰り状態を検知し、フィルタが目詰り状態のとき、前記運転制御手段によって前記除塵装置を運転して前記フィルタ装置の除塵を行うことを特徴とする。
【００１７】
請求項２記載の発明は、請求項１記載の発明において、前記運転制御手段は、前記除塵装置を所定時間運転した後に停止させることを特徴とする。
【発明の効果】
【００１８】
請求項１記載の発明によれば、吸気装置が運転状態にあっても使用者が使用環境に適した目詰り閾値圧力を設定することができるため、フィルタで分離し切れない細かい粉塵がフィルタ内部に侵入したり、電源事情が劣化するような状況下においても、フィルタの目詰りを的確に検知することができ、フィルタに付着している塵埃を自動で除去して常に高い集塵能力を確保することができる。
【００１９】
請求項２記載の発明によれば、除塵装置が所定時間運転された後に自動で停止するため、無駄な電力の消費が抑えられる。
【発明を実施するための最良の形態】
【００２０】
以下に本発明の実施の形態を添付図面に基づいて説明する。
【００２１】
図１は本発明に係る集塵機の側断面図、図２は同集塵機の制御装置の構成を示すブロック図、図３はフィルタの目詰り閾値圧力を設定するためのボリュームの例を示す図である。
［構造説明］
図１に示す集塵機１は、塵埃を収納するための円筒状のタンク２を備えており、このタンク２の側部には吸込口３が開口し、タンク２の上側開口部には、メインモータベース４と一体のメインモータカバー５及びヘッドカバー６がクランプされており、メインモータベース４とメインモータカバー５の間には吸気装置７が内蔵されている。この吸気装置７は、吸込ファン８と、該吸込ファン８を回転駆動するメインモータ９で構成されており、メインモータベース４の下部に設けられた吸気口４ａから吸い込まれた空気を排気口４ｂに排気する排気経路をメインモータベース４とメインモータカバー５及びヘッドカバー６で構成している。
【００２２】
一方、タンク２の上側開口部とメインモータベース４の間には、フィルタハウジング１１が挟み込まれて固定されており、該フィルタハウジング１１には、塵埃を排除して空気だけを通過させる円筒状のフィルタ１３と、該フィルタ１３が内部の負圧で潰れないように保持するフィルタカバー１２が取り付けられ、これらのフィルタ１３とフィルタカバー１２はフィルタ装置１０を構成している。
【００２３】
又、フィルタハウジング１１には除塵機ベース１５が取り付けられており、該除塵機ベース１５には、除塵モータ１６と、該除塵モータ１６のシャフトに結合された減速ギヤ装置１７と、該減速ギヤ装置１７の出力軸に結合された除塵子１８と、除塵モータ１６に粉塵が入り込まないようにする防塵カバー１９が取り付けられており、これらの除塵モータ１６、減速ギヤ装置１７、除塵子１８及び防塵カバーは除塵装置１４を構成しており、この除塵装置１４は前記フィルタ装置１０に内装されている。ここで、除塵子１８は、前記除塵モータ１６によって回転駆動されて前記フィルタ１３を叩き、該フィルタ１３に付着している塵埃を落とす機能を果たす。
【００２４】
ところで、前記吸気装置７及び前記フィルタ装置１０のフィルタ１３とフィルタカバー１２及び除塵装置１４の垂直方向の中心はほぼ同一線上にあり、これらはタンク２の中心線より吸込口３の取付位置の反対方向に偏向して設置されており、前記メインモータカバー５の吸込口３の上に位置する部分には、操作パネル２１と制御回路２０及び絶縁トランス４０が設置されている。
【００２５】
又、上記制御回路２０の近傍の前記メインモータカバー５の吸込口３の上に位置する部分であって、吸気装置７によって吸引される空気の主な流路から離れた位置には圧力測定端２２が取り付けられており、この圧力測定端２２は、制御回路２０内に設置されているゲージ圧センサ３０（図２参照）とホース或は配管によって接続されている。これにより、ゲージ圧センサ３０は、フィルタ装置１０の内部の圧力状態を大気圧との差として検出するセンサとして機能する。ここで、制御回路２０と圧力測定端２２を近接配置しているため、両者を短いホースや配管で接続することができるとともに、ゲージ圧センサ３０や後述する負圧検出回路３５（図２参照）を制御回路２０と共に実装することができる。
【００２６】
そして、吸込口３には、図４及び図５に示すホース４２或は延長管４４が接続され、その先には集塵機構付き電動工具４７や床用吸口４５が装着され、木材、石材、コンクリート、石膏ボード等の切削粉塵や塵埃を空気と共に吸い込むことができる。
［機能説明］
図２において、２３は電源プラグであって、この電源プラグ２３には、連動運転される電動工具４７（図５参照）に電源を供給するコンセント２４、メインモータ９、該メインモータ９を駆動するメインモータ駆動回路３７及び絶縁トランス４０が接続されており、これらは電源プラグ２３から電源の供給を受ける。
【００２７】
上記絶縁トランス４０の２次側にはＤＣ電源４１が接続されており、該ＤＣ電源４１から電源の供給を受ける除塵モータ１６と、該除塵モータ１６を駆動する除塵モータ駆動回路３８及び制御回路２０は外部電源から絶縁されている。尚、図示しないが、メインモータ駆動回路３７の電力制御素子は、フォトトライアック或はフォトカプラと呼ばれる光絶縁カプラによって電気的絶縁がなされている。又、除塵モータ１６の駆動は絶縁トランス４０の２次側出力により電気的絶縁がなされ、絶縁トランス４０は集塵機１に水を吸い込んだときの排出経路よりも上方の位置に取り付けられているため、除塵モータ１６が冠水しても、使用者の電源電圧への接触による感電が避けられる。
【００２８】
前記コンセント２４の電流を電流検出器２５で検出し、検出された電流をコンセント電流検出回路３３で、マイクロコンピータ３９が認識可能な電圧に変換し、その電圧をマイクロコンピュータ３９のアナログ信号入力ポートＡin１に入力し、マイクロコンピュータ３９の演算により、コンセント２４に接続された電動工具４７の運転状態を検出する。
【００２９】
ところで、コンセント２４に接続される電動工具４７は、近年、高機能化が進んで直流電源装置を搭載しているものも多い。このため、該電動工具４７の運転状態を検出する手段は、単に電流検出器２５で検出される電流波形の波高値や平均値の値ではなく、直流電源装置に入力される歪んだ電流と、電動工具４７の駆動源である直巻整流子電動機の電流とを区別して認識する機能を有することが望ましい。
【００３０】
強／弱／停止切替スイッチ２６の接点情報をメインスイッチ強／弱／停止検出回路３１で、マイクロコンピータ３９が認識可能なデジタル電圧に変換し、このデジタル電圧をマイクロコンピュータ３９のデジタル信号入力ポートＰ00及びＰ01に入力し、マイクロコンピュータ３９の演算によって吸気装置７の運転状態を検出する。
【００３１】
吸気装置７は、メインモータ９の電源がＯＦＦになっても、慣性ですぐには停止しない。このため、マイクロコンピュータ３９の演算は、メインモータ９への電源がＯＦＦになった時刻から予め設定した吸気装置７の慣性で動作している時間が経過した時刻に達したときに吸気装置７の運転状態が停止状態になったことを検知したとする処理を行う。この処理は、マイクロコンピュータ３９のデジタル出力ポートＤ１にＯＦＦ信号を出力してメインモータ９を停止した場合も同様である。尚、吸気装置７が慣性で動作している時間は概略１０秒程度である。
【００３２】
ＯＮ／ＯＦＦスイッチ検出回路３２は、連動／単動切替スイッチ２７及び除塵モータＯＮスイッチ２８の操作指示スイッチのＯＮ／ＯＦＦ状態をマイクロコンピュータ３９のデジタル入力ポートＰ02，Ｐ03で読み込むことができる信号に変換する回路であり、これがＯＮのときローレベル信号、ＯＦＦのときハイレベル信号をそれぞれマイクロコンピュータ３９のデジタル入力ポートＰ02，Ｐ03に出力する。
【００３３】
連動／単動切替スイッチ２７は、コンセント２４に接続され電動工具４７の運転状態を検出する手段を有し、コンセント２４に接続された電動工具４７が運転状態になったときに吸気装置７を運転状態とし、電動工具４７が運転状態から停止状態に変化したときに数秒間だけ吸気装置７を運転し続けた後、吸気装置７を停止する手段である連動運転モードと、操作スイッチの状態で吸気装置７を運転・停止する手段である単動運転モードの２つの運転モードを選択するためのスイッチである。通常、コモン電極とノーマルオープン電極がＯＦＦ状態のときは連動運転モードで、ＯＮ状態のときは単動運転モードである。
【００３４】
コンセント２４に電動工具４７が未接続で、床用吸口４５等で集塵作業を行うときは、連動／単動切替スイッチ２７をＯＮにして、単動運転モードで集塵機１を動作させる。
【００３５】
連動運転モードのとき、電動工具４７が運転状態から停止状態に変化した場合には、数秒間だけ吸気装置７を運転し続けた後に吸気装置７を停止するのは、集塵機構付き電動工具４７を併用運転するときは前述のように長いホース４２を使用することが多く、粉塵がホース４２に詰まるのを防ぐためである。
【００３６】
除塵モータＯＮスイッチ２８は、除塵装置１４を運転させるための操作スイッチである。使用者がこの除塵モータＯＮスイッチ２８を押すと、除塵装置１４は、予め設定した数秒間だけ運転状態になり、フィルタ１３の除塵を行う。但し、マイクロコンピュータ３９の処理機能が吸気装置７の運転状態が停止状態になったことを検知したときだけ除塵モータＯＮスイッチ２８は有効であり、吸気装置７の運転状態が停止状態になったことを検知しないときには、使用者がこの除塵モータＯＮスイッチ２８を押しても無視されて除塵装置１４は動作しない。これは、吸気装置７が動作中及び慣性で回転している間は除塵装置１４を運転しても、フィルタ１３に付着した塵埃は負圧で取れないため、吸気装置７が動作中は除塵装置１４を運転しないことによって、除塵装置１４の効果のない運転による無駄な電力消費やフィルタ１３の損傷を避けるためである。
【００３７】
警告灯２９は、マイクロコンピュータ３９の処理機能がフィルタ１３の目詰り状態を検知したときに点灯状態になる表示灯である。マイクロコンピュータ３９の処理機能は、フィルタ１３の目詰り状態を検知したとき、デジタル出力ポートＤ２から警告灯駆動回路３６を介して警告灯２９を点灯状態とし、フィルタ１３の目詰り状態を検知しないときには、デジタル出力ポートＤ２から警告灯駆動回路３６を介して警告灯２９を消灯状態にする。
【００３８】
負圧検出回路３５は、フィルタ装置１０の内部の圧力状態を大気圧との差として検出するゲージ圧力センサ３０の信号を受け、差圧が電圧に比例する電圧信号としてマイクロコンピータ３９が認識可能な電圧に変換して、この電圧をマイクロコンピュータ３９のアナログ信号入力ポートＡin２に入力し、マイクロコンピュータ３９の演算により、後述する使用者が設定した目詰り圧力の閾値と比較・演算可能なフィルタ１３内部の圧力状態を電気信号に変換するものである。
［目詰り閾値を設定する手段の説明］
図３に目詰り閾値圧力設定ボリューム３４の一例を示す。
【００３９】
図３において、４８は設定つまみ、４９はフィルタ内部圧力目盛、５０は目詰り圧力設定目盛（１）、５１は目詰り圧力設定目盛（２）であり、上部に警告灯２９が設置されている。
【００４０】
上記設定つまみ４８は、マイクロコンピュータ３９のアナログ入力ポートＡin０に入力される電圧が左方向一杯に回したときは略ゼロで、右方向に回すと増加するように目詰り閾値設定ボリューム３４と連動している。この設定つまみ４８が右方向一杯に回したときは、集塵機１の最大真空度時のフィルタ内部圧力程度以上になっている。
【００４１】
目詰り圧力設定目盛（１）５０は、強／弱／停止切替スイッチ２６を「弱」に投入して集塵機１を使用するときのフィルタ目詰り閾値圧力の目安として示される矢印であり、左側矢印の位置に設定つまみ４８の印があるときは、概略使用条件下で最小の到達圧力時のフィルタ内部圧力、右側矢印の位置に設定つまみ４８の印があるときは、概略使用条件下で最大の到達圧力時のフィルタ内部圧力値になっている。
【００４２】
目詰り圧力設定目盛（２）５１は、強／弱／停止切替スイッチ２６を「強」に投入して集塵機１を使用するときのフィルタ目詰り閾値圧力の目安として示される矢印であり、左側矢印の位置に設定つまみ４８の印があるときは、概略使用条件下で最小の到達圧力時のフィルタ内部圧力、右側矢印の位置に設定つまみ４８の印があるときは、概略使用条件下で最大の到達圧力時のフィルタ内部圧力値になっている。
【００４３】
マイクロコンピュータ３９においては、吸気装置７が運転状態のとき、設定つまみ４８で設定した圧力値とフィルタ内部圧力検出手段で検出した圧力とを比較し、フィルタ内部圧力検出手段で検出した圧力が設定つまみ４８で設定した圧力値より大きい値のときには、フィルタ目詰りを検知したとする処理を行う。吸気装置７が運転状態のとき、前記フィルタ目詰りを検知したとする処理は警告灯２９を点灯状態にすることによって、前記フィルタ目詰りを検知しないときの処理は警告灯２９を消灯状態にすることである。
【００４４】
以上のことから、吸気装置７が運転状態のとき、設定つまみ４８を右一杯から左にゆっくり回して、警告灯２９が消灯状態から点灯状態になる直前の設定つまみ４８の位置がその時のフィルタ内部圧力になっている。
【００４５】
メインモータ９は、界磁巻線を２組有し、強／弱／停止切替スイッチ２６の操作によって、強運転／弱運転／停止状態に切り替わる。又、メインモータ駆動回路３７を介してマイクロコンピュータ３９のデジタル出力信号Ｄ１によっても、運転と停止の状態を切り替えることができる。更に、メインモータ駆動回路３７の電力制御素子に例えば双方向位相制御素子（トライアック）を用いてメインモータ９を位相制御すれば、吸気装置７の吸気能力を変化させることも可能である。尚、本実施の形態では、強／弱／停止の３運転状態で使用する場合について説明する。
【００４６】
除塵モータ１６は、除塵モータ駆動回路３８を介してマイクロコンピュータ３９のデジタル出力信号Ｄ０によって運転／停止の状態が切り替えられる。又、電力制御素子をチョッピング動作させることによってソフトスタート運転をさせることも可能であり、ソフトスタート運転で除塵モータ１６の起動電流によるＤＣ電源４１の電圧低下を防ぐ方法も採用可能である。
【００４７】
以上のような構造及び機能を有する集塵機１は、前述のように、単動運転と連動運転の２つの運転形態を採ることができる。単動運転は、連動／単動切替スイッチ２７が単動側に投入され、且つ、強／弱／停止切替スイッチ２６が「強」或は「弱」に投入されたとき、吸気装置７のメインモータ９が運転状態になる運転形態であり、連動／単動切替スイッチ２７が連動側に投入されるか、強／弱／停止切替スイッチ２６が停止側に投入されるかの何れかの状態でメインモータ９はＯＦＦになる。
【００４８】
連動運転は、連動／単動切替スイッチ２７が連動側に投入され、且つ、強／弱／停止切替スイッチ２６が「強」或は「弱」に投入された状態でコンセント２４に電動工具４７が接続され、該電動工具４７が運転状態になってコンセント２４に電流が流れたとき、該コンセント２４の電流を電流検出器２５で検出し、検出した電流をコンセント電流検出回路３３によって、マイクロコンピータ３９が認識可能な電圧に変換し、マイクロコンピュータ３９のアナログ信号入力ポートＡin１に入力する。
【００４９】
そして、マイクロコンピュータ３９の演算により、コンセント２４に接続した電動工具４７が運転状態にあることを検知したとき、マイクロコンピュータ３９は、デジタル出力信号Ｄ１にＯＮ信号を出力し、メインモータ駆動回路３７によって、メインモータ９が運転状態になる運転形態で、コンセント２４に接続されている電動工具４７がＯＦＦになり、コンセント２４に電流が流れないとき、マイクロコンピュータ３９のアナログ信号入力ポートＡin１の入力はゼロになるため、電動工具４７が停止状態にあることを検知する。
【００５０】
このとき、予め設定した数秒間、メインモータ９を運転状態のままにしてから、マイクロコンピュータ３９は、デジタル出力信号Ｄ１にＯＦＦ信号を出力し、メインモータ駆動回路３７によってメインモータ９をＯＦＦする。これは、電動工具４７を停止した直後は未だホース４２の内部を粉塵が通過中のため、該ホース４２の粉塵を集塵する間、吸気装置７を運転しておくためである。
【００５１】
連動運転モードで動作しているとき、連動／単動切替スイッチ２７が単動側に投入されると、連動運転モードは解除され、前記した単動運転モードで運転している状態に推移するため、強／弱／停止切替スイッチ２６が停止に投入されたとき、電動工具４７の運転状態に関らずメインモータ９は直ちにＯＦＦされる。
［集塵機の使用例］
以上のような構造及び機能を有する集塵機１を例えば単動運転モードで運転し、弱運転で、床用吸口４５を使用したときの動作について説明する。
【００５２】
従来の集塵機として図４で説明したように、集塵機１の吸込口３にホース４２を接続し、該ホース４２の先に、操作者が持って清掃作業を行うホース接続ハンドル４３を接続し、該ホース接続ハンドル４３の先に２本の延長管４４を接続し、更にその先に床用吸口４５接続する。
【００５３】
次に、連動／単動切替スイッチ２７を「単動」に投入し、強／弱／停止切替スイッチ２６を「弱」に投入すると、メインモータ９は弱運転モードで運転状態になり、床用吸口４５から集塵可能となる。設定つまみ４８は、目詰り圧力設定目盛（１）５０の右側矢印の付近にしておく。このとき、集塵機１の使用環境が以前と同じ作業場で、同じような粉塵を集塵する場合には、以前に使用したときの目詰り圧力設定目盛（１）の位置にすれば、以下の操作は省略して良い。
【００５４】
次に、その状態で集塵を続け、少し吸い込みが悪くなり、フィルタ１３に目詰りが生じたために該フィルタ１３の除塵を行った方が良いと感じたときには、警告灯２９が未だ点灯状態でないならば、設定つまみ４８を左側に回して点灯状態にし、連動／単動切替スイッチ２７を「連動」に投入するか、強／弱／停止切替スイッチ２６を「停止」に投入して吸気装置７を停止させる。すると、十数秒後に除塵モータ１６が回転し、除塵が自動で行われる。
【００５５】
次からは、設定つまみ４８をそのままにして集塵作業を再開すると、フィルタ１３に目詰りが生じたと感じたときに吸気装置７を停止させると、同様に自動で除塵が行われる。このとき、制御回路２０のマイクロコンピュータ３９の処理は、連動／単動切替スイッチ２７の状態から単動運転モードで運転していることを検知し、吸気装置７が運転状態のとき、吸気装置７の運転状態を前記した強／弱／停止切替スイッチ２６の接点情報を基に吸気装置７の運転状態を検出する手段で検出し、目詰り圧力設定手段である設定つまみ４８の目印の位置で示される圧力値とフィルタ内部圧力検出手段で検出した圧力とを比較し、フィルタ内部圧力検出手段で検出した圧力が目詰り圧力設定手段で設定した圧力値より大きい値のとき、フィルタ目詰りを検知したとする処理を行う。
【００５６】
吸気装置７が運転状態のときの前記フィルタ目詰りを検知したとする処理は、警告灯２９を点灯状態にすることで、前記フィルタ目詰りを検知しないときの処理は警告灯２９を消灯状態にすることである。吸気装置７が停止したとき、マイクロコンピュータ３９の処理は、吸気装置７が停止する直前の運転状態にあるときのフィルタ目詰り検知状態を記憶し、吸気装置７の運転状態が停止状態になったことを検知したとき、前記フィルタ目詰り検知状態がフィルタ目詰りを検知した状態ならば、除塵モータ１６を予め設定した数秒間だけ運転した後、警告灯２９を消灯状態にする。すると、除塵モータ１６の駆動が停止されて集塵装置１４が自動停止され、無駄な電力の消費が抑えられる。
【００５７】
フィルタ目詰りを検知しない状態ならば、除塵モータ１６を運転しないで処理を終える。吸気装置７の停止直前のフィルタ目詰り検知状態で除塵装置１４を運転する判別を行うのは、停止直前はホース４２の内部の粉塵が比較的少なく、且つ、吸込口３から先の粉塵の有無の状態が再現性のある圧力状態が多く、フィルタ１３の目詰まりと相関が強いからであり、運転中の最大圧力だと、ホース４２の内部に粉塵が多量に吸い込まれたときの圧力状態である場合が多く、フィルタ１３の目詰りに相関が乏しいからである。
【００５８】
又、除塵モータ１６を予め設定した数秒間だけ運転するのは、除塵子１８を回転させて付着粉塵を叩き落とす方式で、且つ、電動工具の切削粉塵のように微細な粉塵が付着しているときは、付着の多少に関わらず、一定時間叩いていないと付着粉塵が落ちず、又、叩いている時間を一定時間以上長くしても除塵効果が得られないからである。
【００５９】
尚、メインモータ９の界磁巻線を１組にし、メインモータ駆動回路３７の電力制御素子に例えば双方向位相制御素子（トライアック）を用いてメインモータ９を位相制御すれば、吸気装置７の吸気能力を変化させることも可能である。このときでも、目詰り閾値を設定することは可能である。
【００６０】
又、除塵装置１４の駆動源がモータではなく、揺動する振動子にしたり、除塵子の動きが回転運動ではなく揺動運動する場合や、単にフィルタに振動を加える形の除塵装置にしても良い。
【図面の簡単な説明】
【００６１】
【図１】本発明に係る集塵機の側断面図である。
【図２】本発明に係る集塵機の制御装置の構成を示すブロック図である。
【図３】フィルタの目詰り閾値圧力を設定するためのボリュームの例を示す図である。
【図４】床用吸口を備えた従来の集塵機の斜視図である。
【図５】電動工具の集塵機構に取り付けて使用される従来の集塵機の斜視図である。
【符号の説明】
【００６２】
１    集塵機
２    タンク
３    吸込口
４    メインモータベース
５    モータカバー
６    ヘッドカバー
７    吸気装置
８    吸込ファン
９    メインモータ
１０  フィルタ装置
１１  フィルタハウジング
１２  フィルタカバー
１３  フィルタ
１４  除塵装置
１５  除塵機ベース
１６  除塵モータ
１７  減速ギヤ装置
１８  除塵子
１９  防塵カバー
２０  制御装置
２１  操作パネル
２２  圧力測定端
２３  電源プラグ
２４  コンセント
２５  電流検出器
２６  強／弱／停止切替スイッチ
２７  連動／単動切替スイッチ
２８  除塵モータＯＮスイッチ
２９  警告灯
３０  ゲージ圧力センサ
３１  メインスイッチ強／弱／停止検出回路
３２  ＯＮ／ＯＦＦスイッチ検出回路
３３  コンセント電流検出回路
３４  目詰り閾値設定ボリューム
３５  負圧検出回路
３６  警告灯駆動回路
３７  メインモータ駆動回路
３８  除塵モータ駆動回路
３９  マイクロコンピュータ
４０  絶縁トランス
４１  ＤＣ電源
４２  ホース
４３  ホース接続ハンドル
４４  延長管
４５  床用吸口
４６  電動工具用専用吸口
４７  電動工具
４８  設定つまみ
４９  フィルタ内部圧力目盛
５０  目詰り圧力設定目盛（１）
５１  目詰り圧力設定目盛（２）
【図１】
2007245019.tif 000003
【図２】
2007245019.tif 000004
【図３】
2007245019.tif 000005
【図４】
2007245019.tif 000006
【図５】
2007245019.tif 000007